(57)【要約】      （修正有）【課題】１つの無線アクセス技術で、セルの構成要素となるキャリアの種類を複数制御することが可能な場合、キャリアの種類の分類に関連づけられる参照信号の種類に応じた測定報告の方法を無線端末に行わせること。【解決手段】無線局は、参照信号として、セルの特定に使用される同期信号と、通信路状態情報の測定に使用される測定用参照信号を送信する送信手段と、複数のセルを使用して無線局と通信を行うキャリアアグリゲーションを実施可能な無線端末に、参照信号に対する測定報告に関する設定情報を送信する制御手段を有する。無線端末がプライマリセルとして通信可能なセルに対して、少なくとも同期信号を送信する。無線端末がセカンダリセルとしてのみ通信可能なセルに対して、同期信号を送信せずに測定用参照信号を送信する。測定報告に関する設定情報は、参照信号の種類に応じた測定報告の方法を示す。【選択図】図１
2020061765.tif 000002
【特許請求の範囲】
【請求項１】
無線局であって、
参照信号として、セルの特定に使用される同期信号（SS）と、通信路状態情報の測定に使用される測定用参照信号（CSI-RS）を送信する送信手段と、
複数のセルを使用して前記無線局と通信を行うキャリアアグリゲーションを実施可能な無線端末に、前記参照信号に対する測定報告に関する設定情報（Report Config）を送信する制御手段を有し、
前記無線端末がプライマリセル（PCell）として通信可能なセルにおいて、少なくとも前記同期信号（SS）を送信し、
前記無線端末がセカンダリセル（SCell）としてのみ通信可能なセルにおいて、前記同期信号（SS）を送信せずに前記測定用参照信号（CSI-RS）を送信し、
前記測定報告に関する設定情報（Report Config）が、前記参照信号の種類に応じた測定報告の方法を示す、
無線局。
【請求項２】
前記設定情報（Report Config）により、前記参照信号の種類毎に、受信品質の判定閾値またはオフセットを含む測定報告のイベントを設定することが可能な、請求項１に記載の無線局。
【請求項３】
前記設定情報（Report Config）は、前記参照信号の種類に対応付けられた測定報告のイベントが設定された前記測定報告の方法を示す、請求項１または２に記載の無線局。
【請求項４】
無線端末であって、
複数のセルを使用して無線局と通信を行うキャリアアグリゲーションを実施する手段と、
参照信号として、セルの特定に使用される同期信号（SS）と、通信路状態情報の測定に使用される測定用参照信号（CSI-RS）を受信する受信手段と、
無線局から受信する前記参照信号の種類に対する測定報告に関する設定情報（Report Config）に従って測定報告を行う制御手段と、を有し、
前記無線端末がプライマリセル（PCell）として通信可能なセルにおいて、少なくとも前記同期信号（SS）を受信し、
前記無線端末がセカンダリセル（SCell）としてのみ通信可能なセルにおいて、前記同期信号（SS）を受信せずに前記測定用参照信号（CSI-RS）を受信し、
前記測定報告に関する設定情報（Report Config）は、前記参照信号の種類に応じた前記測定報告の方法を示す、
無線端末。
【請求項５】
前記設定情報（Report Config）により、前記参照信号の種類毎に、受信品質の判定閾値またはオフセットを含む測定報告のイベントが設定される、請求項４に記載の無線端末。
【請求項６】
前記設定情報（Report Config）は、前記参照信号の種類に対応付けられた測定報告のイベントが設定された前記測定報告の方法を示す、請求項４または５に記載の無線端末。
【請求項７】
無線局の通信方法であって、
参照信号として、セルの特定に使用される同期信号（SS）と、通信路状態情報の測定に使用される測定用参照信号（CSI-RS）を送信し、
複数のセルを使用して前記無線局と通信を行うキャリアアグリゲーションを実施可能な無線端末に、前記参照信号に対する測定報告に関する設定情報（Report Config）を送信し、
前記無線端末がプライマリセル（PCell）として通信可能なセルにおいて、少なくとも前記同期信号（SS）を送信し、
前記無線端末がセカンダリセル（SCell）としてのみ通信可能なセルにおいて、前記同期信号（SS）を送信せずに前記測定用参照信号（CSI-RS）を送信し、
前記測定報告に関する設定情報（Report Config）が、前記参照信号の種類に応じた測定報告の方法を示す、
通信方法。
【請求項８】
前記設定情報（Report Config）により、前記参照信号の種類毎に、受信品質の判定閾値またはオフセットを含む測定報告のイベントを設定することが可能な、請求項７に記載の通信方法。
【請求項９】
前記設定情報（Report Config）は、前記参照信号の種類に対応付けられた測定報告のイベントが設定された前記測定報告の方法を示す、請求項７または８に記載の通信方法。
【請求項１０】
無線端末の通信方法であって、
複数のセルを使用して無線局と通信を行うキャリアアグリゲーションを実施し、
参照信号として、セルの特定に使用される同期信号（SS）と、通信路状態情報の測定に使用される測定用参照信号（CSI-RS）を受信し、
無線局から受信する前記参照信号の種類に対する測定報告に関する設定情報（Report Config）に従って測定報告を実施し、
前記無線端末がプライマリセル（PCell）として通信可能なセルにおいて、少なくとも前記同期信号（SS）を受信し、
前記無線端末がセカンダリセル（SCell）としてのみ通信可能なセルにおいて、前記同期信号（SS）を受信せずに前記測定用参照信号（CSI-RS）を受信し、
前記測定報告に関する設定情報（Report Config）は、前記参照信号の種類に応じた前記測定報告の方法を示す、
通信方法。
【請求項１１】
前記設定情報（Report Config）により、前記参照信号の種類毎に、受信品質の判定閾値またはオフセットを含む測定報告のイベントが設定される、請求項１０に記載の通信方法。
【請求項１２】
前記設定情報（Report Config）は、前記参照信号の種類に対応付けられた測定報告のイベントが設定された前記測定報告の方法を示す、請求項１０または１１に記載の通信方法。
【発明の詳細な説明】
【技術分野】
【０００１】
本発明は、無線局、無線端末及び通信方法に関する。
【背景技術】
【０００２】
３ＧＰＰ（3rd Generation Partnership Project）で規定される無線通信システムの規格の１つであるＬＴＥ（Long Term Evolution）では、無線端末（User Equipment: UE）が、下りリンク（Downlink: DL）のコンポーネントキャリア（以下、ＤＬキャリア）と、当該ＤＬキャリアに対応付けられた上りリンク（Uplink: UL）のコンポーネントキャリア（以下、ＵＬキャリア）から構成されるセルを１つ選択し、当該セルにおいて無線基地局（evolved Node B: eNB）と通信を行う。尚、基本的にＵＥがセルを選択することは、ＤＬキャリアを選択することに対応する。ＬＴＥでは、ｅＮＢがＤＬキャリアで、セル内ＵＥが共通に利用する参照信号（Cell specific Reference Signal: CRS）、同期信号（Synchronization Signal: SS）、システム情報（System Information: SI）、などを周期的に送信する。これらは、ＬＴＥにおいて、ＵＥがｅＮＢと通信を行う上で必要な信号又は情報であり、所定の条件を満たすように送信形態（例えば、送信周期や信号配置）が規定されている。
【０００３】
次に、ＬＴＥにおけるハンドオーバ手順を、図１５を用いて説明する。尚、図１５ではＵＥがＣｅｌｌ１に滞在し、ｅＮＢ１と通信をしているものとする。
【０００４】
ｅＮＢ１はＵＥに端末測定報告（UE measurement and reporting）の指示（MeasConfig）を行う。ここで、端末測定報告の指示（MeasConfig）には、端末測定の対象を示す情報（Measurement objects）と、端末測定結果の報告方法を示す情報（Reporting configurations）が含まれる。さらに、Measurement objectsは、測定対象となる無線アクセス技術（Radio Access Technology: RAT）、周波数、及びセルの情報と、端末測定結果の報告の判定に用いる測定対象セルの信号の受信品質に対するオフセット値、などを含む。また、Reporting configurationsは、端末測定結果の報告が、周期的な報告（periodical reporting）なのかイベントトリガによる報告（event triggered reporting）なのかを示す情報、さらにイベントトリガの場合にはどのようなイベントか、などを含む。以下、イベントトリガの場合を想定する。
【０００５】
ＵＥは、所定の要求条件を満たす頻度又はタイミングで、指定されたセルや指定された周波数のセルの受信品質の測定を実行し、測定結果が指定されたイベントの条件を満たすか否かを判定する。そして、当該条件を満たす状況が所定期間（Time To Trigger: TTT）継続した場合、ＵＥは測定結果の報告を行う（Measurement report）。
【０００６】
ｅＮＢ１は、ＵＥから受信した測定結果の報告を基に、ハンドオーバ先を決定する。ｅＮＢ１は、ハンドオーバ先がｅＮＢ２のセル（例えばＣｅｌｌ３）である場合には、ｅＮＢ２へハンドオーバ要求を送信する（Handover request）、ｅＮＢ２は受け入れ可能である（つまり、ＵＥのハンドオーバを許す）場合、ハンドオーバ要求への肯定応答をｅＮＢ１へ送信する（Handover request acknowledgement）。そして、ｅＮＢ１はＵＥへハンドオーバの指示を送信し（RRC Connection Reconfiguration including MobilityControlnfo）、ＵＥは当該指示を基にｅＮＢ２のＣｅｌｌ３へハンドオーバを行う。
【０００７】
以上の方法により、サービングセル（Serving cell）及び隣接セル（Neighbouring cell）の信号の受信品質を考慮した適切なハンドオーバを実現することができる（非特許文献１）。
【０００８】
一方、３ＧＰＰでは、ＬＴＥを高度化させ、大幅な機能拡張をしたＬＴＥ-Ａｄｖａｎｃｅｄの検討が行われている。ＬＴＥでは、ｅＮＢがＣＲＳに加え、ユーザーデータを復調する為の参照信号（Demodulation RS: DM-RS）、下りリンクの通信路状態情報（Channel State Information: CSI）の測定や算出の為の参照信号（CSI-RS）、スケジューリング情報などを含む下りリンクの物理制御チャネル（Physical Downlink Control Channel: PDCCH）なども送信する。ＬＴＥ-Ａｄｖａｎｃｅｄの検討において、下りリンクのユーザーデータ以外の上述のような信号や情報のオーバーヘッドが大きく、下りリンクの無線リソースの利用が最適化されていないことが指摘され、下りリンクのスループットやセル容量の改善の為に、当該オーバーヘッドを削減することが検討されている。例えば、サブフレーム（Subframe）当たりに送信するＣＲＳのシンボル数を低減する、ＣＲＳを送信するサブフレーム数を低減する、又はＣＲＳを全く送信しない、などの方法が検討されており、そのようなＤＬキャリアの種類をＮｅｗ  Ｃａｒｒｉｅｒ  Ｔｙｐｅ（ＮＣＴ）と呼んでいる（非特許文献２）。以下では、従来のコンポーネントキャリア（Ｌｅｇａｃｙ  Ｃｏｍｐｏｎｅｎｔ  Ｃａｒｒｉｅｒ：  ＬＣＣ）に対して、ＮＣＴのコンポーネントキャリアをＮｅｗ  Ｔｙｐｅ  Ｃｏｍｐｏｎｅｎｔ  Ｃａｒｒｉｅｒ（ＮＴＣＣ）と呼ぶ。ＮＴＣＣは、ＵＥが複数のコンポーネントキャリアを同時使用してｅＮＢと通信を行うキャリアアグリゲーション（Carrier Aggregation: CA）のセカンダリコンポーネントキャリア（Secondary Component Carrier: SCC）（セカンダリセル（Secondary Cell: SCell）とも呼ぶ）として使用することが想定されている。ここで、ＵＥがｅＮＢとの接続を確立したり、セキュリティ情報などの基本的な情報を取得したりするコンポーネントキャリア（セル）をプライマリコンポーネントキャリア（Primary Component Carrier: PCC）／プライマリセル（Primary Cell: PCell）と呼び、ＰＣＣ／ＰＣｅｌｌと共に使用する追加的なコンポーネントキャリア／セルをＳＣＣ／ＳＣｅｌｌと呼ぶ。ＤＬ  ＮＴＣＣの導入により、ＳＣＣ／ＳＣｅｌｌにおいて下りユーザーデータを送信する無線リソースが増加し、下りスループットやセル容量の改善が期待できる。さらに、無線ネットワークの省電力化も期待できる。尚、無線基地局（ｅＮＢ）は、ある無線端末（ＵＥ）が使用するＳＣＣ／ＳＣｅｌｌを、ＵＥからの端末測定結果の報告を基に決定する。ここで、端末測定報告は、上述のハンドオーバの為のものを再利用したり、ＳＣＣ／ＳＣｅｌｌ追加用のものであったりする。
【先行技術文献】
【非特許文献】
【０００９】
【非特許文献１】３ＧＰＰ  ＴＳ３６．３３１ｖ１０．５．０（インターネット＜ＵＲＬ＞ｈｔｔｐ：／／ｗｗｗ．３ｇｐｐ．ｏｒｇ／ｆｔｐ／Ｓｐｅｃｓ／ｈｔｍｌ-ｉｎｆｏ／３６３３１．ｈｔｍ）, ｓｅｃｔｉｏｎ  ５．５
【非特許文献２】３ＧＰＰ  Ｒ２-１１５６６６  （インターネット＜ＵＲＬ＞ｈｔｔｐ：／／ｗｗｗ．３ｇｐｐ．ｏｒｇ／ｆｔｐ／ｔｓｇ＿ｒａｎ／ＷＧ２＿ＲＬ２／ＴＳＧＲ２＿７６／Ｄｏｃｓ／Ｒ２-１１５６６６．ｚｉｐ）
【発明の概要】
【発明が解決しようとする課題】
【００１０】
以下に本発明による関連技術の分析を与える。
【００１１】
ＬＴＥ-ＡｄｖａｎｃｅｄにおけるＤＬ  Ｎｅｗ  Ｃａｒｒｉｅｒ  Ｔｙｐｅ（ＮＣＴ）の導入は、キャリアアグリゲーション（Carrier Aggregation: CA）時のセカンダリキャリア（ＳＣＣ）／セカンダリセル（ＳＣｅｌｌ）として使用することを想定している。一方、無線リソースの有効利用という観点からは、ＮＣＴのコンポーネントキャリア（Ｎｅｗ  Ｔｙｐｅ  Ｃｏｍｐｏｎｅｎｔ  Ｃａｒｒｉｅｒ：  ＮＴＣＣ）をプライマリキャリア（ＰＣＣ）／プライマリセル（ＰＣｅｌｌ）として使用することが期待される。しかし、上述のＮＴＣＣをＰＣＣ／ＰＣｅｌｌとして適用した場合には以下に挙げるようないくつかの問題が生じる可能性がある。
【００１２】
まず、ＮＴＣＣを構成要素とするＰＣｅｌｌ（以下、ＮＴＣＣ  ＰＣｅｌｌ）を導入する初期段階は、ＮＴＣＣ  ＰＣｅｌｌを使用可能な無線端末（ＵＥ）数のセル内の全ＵＥ数に占める割合は比較的小さく、従来のコンポーネントキャリアを構成要素とするＰＣｅｌｌ（以下、Ｌｅｇａｃｙ  ＰＣｅｌｌ）へのハンドオーバが集中することが想定される。
【００１３】
例えば、図１５においてｆ１をＬｅｇａｃｙ  ＰＣｅｌｌ、ｆ２をＮＴＣＣ  ＰＣｅｌｌとして設定した場合、ＮＴＣＣ  ＰＣｅｌｌを使用可能なＵＥはｆ１とｆ２に分散するが、ＮＴＣＣ  ＰＣｅｌｌを使用不可能なＵＥは、ｆ１に集中する。その為、ＮＴＣＣ  ＰＣｅｌｌを使用可能なＵＥの割合によっては、ｆ１のセルにＵＥが集中する。これにより、ハンドオーバの処理や、ハンドオーバ後のトラフィックが集中することが問題になる。
【００１４】
一方、ＮＴＣＣ  ＰＣｅｌｌを使用可能なＵＥの割合が支配的になり、使用不可能なＵＥの割合が低下してきた場合、Ｌｅｇａｃｙ  ＰＣｅｌｌの割合を削減することでＮＴＣＣ  ＰＣｅｌｌ導入による効果を高めることが期待される。
【００１５】
しかし、Ｌｅｇａｃｙ  ＰＣｅｌｌとＮＴＣＣ  ＰＣｅｌｌの割合を適切に設定しなければ、Ｌｅｇａｃｙ  ＰＣｅｌｌにハンドオーバが集中し、上述と同様の問題が生じる可能性がある。尚、ＮＴＣＣ  ＰＣｅｌｌを使用可能なＵＥの割合は、場所及び時間で変化することが予想される為、Ｌｅｇａｃｙ  ＰＣｅｌｌとＮＴＣＣ  ＰＣｅｌｌの割合を適切に設定することは困難であると考えられる。
【００１６】
さらに、特定のセル（例えば、Ｌｅｇａｃｙ  Ｃｅｌｌ）へのＵＥの集中という意味では、ＮＴＣＣ  ＣｅｌｌをＳＣｅｌｌとして用いる場合にも問題となる可能性がある。例えば、キャリアアグリゲーション（CA）を行う場合に、ＮＴＣＣ  ＣｅｌｌをＳＣｅｌｌとして使用可能なＵＥが少ない場合、Ｌｅｇａｃｙ  ＣｅｌｌをＳＣｅｌｌとして用いるＵＥ数が、ＮＴＣＣ  ＣｅｌｌをＳＣｅｌｌとして用いるＵＥ数より多くなり、Ｌｅｇａｃｙ  Ｃｅｌｌに負荷の偏りが生じる可能性がある。これは、無線局基地局（ｅＮＢ）が無線端末（ＵＥ）に、どのＣｅｌｌをＳＣｅｌｌとして使用させるかを、ハンドオーバの場合と同様に、ＵＥの測定報告を基に決定する為である。
【００１７】
従って、解決すべき課題は、１つの無線アクセス技術で、セルの構成要素となるキャリアの種類を複数制御することが可能な場合、キャリアの種類の分類に関連づけられる参照信号の種類に応じた測定報告の方法を無線端末（ＵＥ）に行わせることである。
【課題を解決するための手段】
【００１８】
本発明の一態様は、無線局であって、参照信号として、セルの特定に使用される同期信号（SS）と、通信路状態情報の測定に使用される測定用参照信号（CSI-RS）を送信する送信手段と、複数のセルを使用して前記無線局と通信を行うキャリアアグリゲーションを実施可能な無線端末に、前記参照信号に対する測定報告に関する設定情報（Report Config）を送信する制御手段を有し、前記無線端末がプライマリセル（PCell）として通信可能なセルにおいて、少なくとも前記同期信号（SS）を送信し、前記無線端末がセカンダリセル（SCell）としてのみ通信可能なセルにおいて、前記同期信号（SS）を送信せずに前記測定用参照信号（CSI-RS）を送信し、前記測定報告に関する設定情報（Report Config）が、前記参照信号の種類に応じた測定報告の方法を示す、無線局である。
【００１９】
本発明の一態様は、無線端末であって、複数のセルを使用して無線局と通信を行うキャリアアグリゲーションを実施する手段と、参照信号として、セルの特定に使用される同期信号（SS）と、通信路状態情報の測定に使用される測定用参照信号（CSI-RS）を受信する受信手段と、無線局から受信する前記参照信号の種類に対する測定報告に関する設定情報（Report Config）に従って測定報告を行う制御手段と、を有し、前記無線端末がプライマリセル（PCell）として通信可能なセルにおいて、少なくとも前記同期信号（SS）を受信し、前記無線端末がセカンダリセル（SCell）としてのみ通信可能なセルにおいて、前記同期信号（SS）を受信せずに前記測定用参照信号（CSI-RS）を受信し、前記測定報告に関する設定情報（Report Config）は、前記参照信号の種類に応じた前記測定報告の方法を示す、無線端末である。
【００２０】
本発明の一態様は、無線局の通信方法であって、参照信号として、セルの特定に使用される同期信号（SS）と、通信路状態情報の測定に使用される測定用参照信号（CSI-RS）を送信し、複数のセルを使用して前記無線局と通信を行うキャリアアグリゲーションを実施可能な無線端末に、前記参照信号に対する測定報告に関する設定情報（Report Config）を送信し、前記無線端末がプライマリセル（PCell）として通信可能なセルにおいて、少なくとも前記同期信号（SS）を送信し、前記無線端末がセカンダリセル（SCell）としてのみ通信可能なセルにおいて、前記同期信号（SS）を送信せずに前記測定用参照信号（CSI-RS）を送信し、前記測定報告に関する設定情報（Report Config）が、前記参照信号の種類に応じた測定報告の方法を示す、通信方法である。
【００２１】
本発明の一態様は、無線端末の通信方法であって、複数のセルを使用して無線局と通信を行うキャリアアグリゲーションを実施し、参照信号として、セルの特定に使用される同期信号（SS）と、通信路状態情報の測定に使用される測定用参照信号（CSI-RS）を受信し、無線局から受信する前記参照信号の種類に対する測定報告に関する設定情報（Report Config）に従って測定報告を実施し、前記無線端末がプライマリセル（PCell）として通信可能なセルにおいて、少なくとも前記同期信号（SS）を受信し、前記無線端末がセカンダリセル（SCell）としてのみ通信可能なセルにおいて、前記同期信号（SS）を受信せずに前記測定用参照信号（CSI-RS）を受信し、前記測定報告に関する設定情報（Report Config）は、前記参照信号の種類に応じた前記測定報告の方法を示す、通信方法である。
【発明の効果】
【００２２】
本発明によれば、１つの無線アクセス技術で、セルの構成要素となるキャリアの種類を複数制御することが可能な場合、キャリアの種類の分類に関連づけられる参照信号の種類に応じた測定報告の方法を無線端末（ＵＥ）に行わせることができる。
【図面の簡単な説明】
【００２３】
【図１】本発明の第１の実施の形態の構成図である。
【図２】本発明の第１の実施の形態の無線局１及び無線端末２のブロック図である。
【図３】本発明の第１の実施の形態の無線端末による測定結果の報告のフローチャートである。
【図４】本発明の第１の実施の形態の無線局１による測定結果の報告の手順のフローチャートを示す。
【図５】本発明の第２の実施の形態の無線端末２によるハンドオーバ手順のフローチャートを示す。
【図６】本発明の第２の実施の形態における無線局１のハンドオーバ制御のフローチャートである。
【図７】本発明の第３の実施の形態におけるＬＴＥのシステム図である。
【図８】本発明の第３の実施の形態の測定結果の報告の手順のフローチャートである。
【図９】本発明の第３の実施の形態の無線端末による測定報告基準に用いるパラメータの送信形態の図である。
【図１０】本発明の第３の実施の形態の無線端末による測定報告基準に用いるパラメータの別の送信形態の図である。
【図１１】本発明の第４の実施の形態における測定報告の指示を説明する為の図である。
【図１２】本発明の第４の実施の形態における測定報告の指示を説明する為の図である。
【図１３】本発明の第５の実施の形態におけるハンドオーバ先の決定方法を説明するための図である。
【図１４】本発明の第６の実施の形態におけるを説明するための図である。
【図１５】従来の無線端末によるセル選択及びセル再選択を説明するためのシステム図である。
【発明を実施するための形態】
【００２４】
＜第１の実施の形態＞
本発明の実施形態について、無線局（例えば、無線基地局、基地局制御局、他のネットワーク装置）と、無線端末とを構成要素として含む第１の無線通信システムを例に用い説明する。
【００２５】
本発明の基本原理は、異なる種類のセルが混在する無線システムにおいて、無線端末に、当該セルの種類を考慮した測定、及び、測定結果の報告を行わせることである。
【００２６】
図１は本発明の第１の実施の形態の構成図である。
【００２７】
第１の実施の形態は、第１の無線通信システムにおいて、少なくとも一部の無線局１が１つの無線アクセス技術（Radio Access Technology: RAT）で複数種類のセルを制御する制御手段を有し、少なくとも一部の無線端末２がセルの種類を認識する認識手段と、セルの種類に対応する測定報告基準を基に測定結果の報告を行う測定報告手段とを有する。尚、測定報告基準は、例えば、以下のものが考えられる。
【００２８】
・受信品質に関するオフセット値
・受信品質に関する判定閾値
・測定結果の報告のトリガとなるトリガ期間
・上記の組み合わせ
ここで、オフセット値は、測定結果の報告（以下、測定報告）を行うか否かの判定、又は、測定結果の報告を中止するか否かの判定に用いる各セルの受信品質に関するオフセット値である。同様に、判定閾値は、測定報告を行うか否かの判定、又は、測定報告を中止するか否かの判定に用いる各セルの受信品質に関する判定閾値である。トリガ期間は、イベントトリガの測定報告を行う判定に用いる期間で、無線端末は測定結果が所定のイベントを当該トリガ期間満たした場合、測定報告を行う。尚、ここで言う受信品質としては、各セルで送信される既知信号（参照信号、パイロット信号とも呼ぶ）の受信信号電力、受信信号品質、受信信号強度などを想定しているが、これらに限定はされない。
【００２９】
セルの種類としては、例えば以下のものが考えられる。
【００３０】
・従来の無線端末がアクセス可能なセル
・特定の能力（又は機能）を有する無線端末のみがアクセス可能なセル
・特定の用途においてのみ従来の無線端末がアクセス可能なセル
ここで、従来の無線端末（UE）とは、例えばセル（又は、キャリア）の種類に対応するセル選択基準を基にした端末測定報告を行う機能を有していない無線端末である。一方、特定の能力（又は機能）とは、例えばセル（又は、キャリア）の種類に対応するセル選択基準を基にした端末測定報告を行う能力（又は機能）である。特定の用途とは、例えば複数のセル（又は、キャリア）を同時に使用して通信を行う場合の追加セル（又は、追加キャリア）として使用する、などが考えられる。
【００３１】
一方、無線端末２によるセルの種類を認識する処理は、基本的に無線局１が送信する下りキャリア（及び、当該下りリンクに関連付けられた上りキャリア）を認識する処理と等価である為、「セルの種類に対応する測定報告基準」を「キャリアの種類に対応する測定報告基準」と言う（つまり、置き換えて考える）ことができることは言うまでもない。
【００３２】
また、同様の観点から、セルの種類は、当該セルの構成要素となるキャリアの種類によって特定されるとも言える。キャリアの種類は、そのキャリアで送信される信号の送信形態に関する所定の特徴を基に分類される。所定の特徴とは、例えば以下のものが考えられる。
【００３３】
・物理チャネルの構成
・無線局が送信する既知信号の送信形態
・無線局が送信する制御信号の送信形態
・無線局が送信するシステム情報の送信形態
・無線局が送信するシステム情報の内容（コンテンツ）
・無線伝送方式
・複信方式
物理チャネルの構成としては、下りリンクまたは上りリンクのサブフレームフォーマットやフレームフォーマットとも呼ばれ、例えば物理チャネルのマッピング、つまり各物理チャネルの送信に用いられる無線リソースの割り当て方法などが考えられる。
【００３４】
既知信号は参照信号やパイロット信号と呼ばれる。既知信号の送信形態としては、例えば既知信号の送信周期、送信帯域、送信密度、信号電力密度、信号配置、信号系列、送信アンテナ数、種類などが考えられる。
【００３５】
システム情報の内容としては、キャリアの種類によらず送信される情報と、特定の種類のキャリアでのみ送信される情報、などが考えられる。
【００３６】
無線伝送方式としては、例えば、ＯＦＤＭ、ＯＦＤＭＡ、ＳＣ-ＦＤＭＡ、ＣＤＭＡ、ＦＤＭＡ、ＴＤＭＡなどが考えられる。
【００３７】
複信方式（Duplex operation）としては、例えば全二重通信方式（Full-Duplex）、半二重通信方式（Half-Duplex）、周波数分割複信（Frequency Division Duplex: FDD）、時分割複信（Time Division Duplex: TDD）が考えられる。
【００３８】
さらに、無線局１の制御手段におけるセルの制御とは、例えば、セルの構成要素として、ある種類のキャリアを下りリンク、及び／又は、上りリンクに用いて、無線端末２と通信を行うことである。また、無線端末２の認識部２１におけるセルの種類の認識とは、例えば無線端末２が滞在（キャンプ）するセルや端末測定の対象とするセルの種類を知ること、又は、意識することである。また、セルの構成要素である下りリンクのキャリアの種類、及び／又は、当該セルの上りリンクのキャリアの種類を知ること、又は、意識することとも言うことができる。
【００３９】
以上に示すように、本発明によれば、無線端末（ＵＥ）が、セル（又は、キャリア）の種類を認識し、当該セル（又は、キャリア）の種類に対応する測定報告基準を基に、測定結果を報告することができる。
【００４０】
図２は第１の実施の形態の無線局１及び無線端末２のブロック図である。
【００４１】
図２において、無線局１は、無線端末１からの無線信号を受信する無線信号受信器（Radiio Signal Receiver）１０、無線端末１から受信した信号を復調する復調部（Demodulator）１１、他のネットワークノード（Other Network Node）に信号を送信する送信部（Transmitter）１２、他のネットワークノード（Other Network Node）からの信号を受信する受信部（Receiver）１３、１つの無線アクセス技術（Radio Access Technology: RAT）において複数種類のセルを制御する機能を有し、信号の送受信などの無線局動作の制御を行う制御部（Ｃｏｎｔｒｏｌｌｅｒ）１４、無線端末への信号を生成する信号生成部（Tx signal generator）１５、無線端末１へ無線信号を送信する無線信号送信器（Ｒａｄｉｏ  Ｓｉｇｎａｌ  Transmitter）１６、から構成される。尚、無線局１としては、無線基地局や、当該無線基地局を管理する基地局制御局などが考えられる。
【００４２】
また、図２において、無線端末２は、無線局１からの無線信号を受信する無線信号受信器（Radio Signal Receiver）２０、受信した信号を復調する復調部（Demodulator）２１、セルの種類を認識する認識部２２、信号の受信などの端末動作の制御を行う制御部（Ｃｏｎｔｒｏｌｌｅｒ）２３、セルの種類に対応する測定報告基準を基に受信品質を測定する測定部２４、無線局１への信号を生成する信号生成部（Tx signal generator）２５、無線局１へ無線信号を送信する無線信号送信部（Radio Signal Transmitter）２６、から構成される。
【００４３】
尚、図２に示した機能ブロックの構成は一例であり、本発明の適用は、これらの構成に限定はされない。
【００４４】
図３に、第１の実施の形態の無線端末２による測定結果の報告の手順のフローチャートを示す。
【００４５】
まず、無線端末２は、無線局１から端末測定報告の指示を受信する（Ｓｔｅｐ  １０）。そして、自セル（サービングセル）の測定タイミングで（Ｓｔｅｐ  １１）、自セルの受信品質を測定する（Ｓｔｅｐ  １２）。また、無線端末２は、隣接セルの測定タイミングで（Ｓｔｅｐ  １３）、隣接セルの受信品質を測定する（Ｓｔｅｐ  １４）。
【００４６】
次に、自セル及び／又は隣接セルを構成するセルの種類に対応する測定報告基準を用い、当該測定報告基準を満たすか否かを判定する（Ｓｔｅｐ  １５）。当該測定報告基準を満たす場合（Ｓｔｅｐ  １５  Ｙｅｓ）、自セルと隣接セルの測定結果を無線局１に報告する（Ｓｔｅｐ  １６）。
【００４７】
尚、無線端末は、ある隣接セルの受信品質が測定報告基準を一度満たしてから、所定期間継続して満たした場合に、測定結果を報告するように測定報告のトリガを設定しても良い。また、測定結果の報告は、測定報告のトリガがかかった場合に一度だけ行っても良いし、トリガがかかった場合に所定の回数だけ連続して行っても良い。さらに、無線端末が、測定報告にセルの種類（又は、キャリアの種類）も無線局に報告するようにしても良い。セルの種類（又は、キャリアの種類）は、例えば予め規定されたそれらを示すインデックスでも良いし、種類そのものを示す情報でも良い。
【００４８】
図４に、第１の実施の形態の無線局１による測定結果の報告の指示及び受信の手順のフローチャートを示す。
【００４９】
無線局１は、無線端末２に、端末測定報告の指示を行う（Ｓｔｅｐ  ２０）。ここで、端末測定報告の指示には、セル（又は、キャリア）の種類に対応する測定報告基準を含む。そして、無線局１は、無線端末２から測定報告を受信する（Ｓｔｅｐ  ２１）。
【００５０】
以上の如く、第１の実施の形態によれば、異なる種類のセルが混在する無線システムにおいて、無線端末に、当該セルの種類を考慮した測定結果の報告を行わせることである。これにより、例えば、無線局が、無線端末のハンドオーバ先となるセルを適切に分散させたり、無線端末が追加的に使用するセルを適切に分散させたりすることができる。
【００５１】
尚、無線局は、無線端末からの測定報告を基に、当該無線端末のハンドオーバ先を決定したり、複数のセル（又は、キャリア）を同時に使用する際の追加的なセル（又は、キャリア）を決定したりする。しかし、端末測定報告の用途は、これらに限定はされない。
【００５２】
＜第２の実施の形態＞
第２の実施の形態を説明する。
【００５３】
第２の実施の形態では、上述した第１の実施の形態におけるセルの種類を考慮した測定、及び、測定結果の報告（まとめて端末測定報告とも呼ぶ）を用いた無線端末のハンドオーバの方法について説明する。
【００５４】
システム内の全ての無線端末が使用できる種類のキャリア（第１のキャリア）を構成要素とする第１のセルと、一部の無線端末のみが使用できる種類のキャリア（第２のキャリア）を構成要素とする（つまり、下りリンクのキャリアと上りリンクのキャリアの少なくとも一方が第２のキャリアである）第２のセルが混在する場合、従来技術のようにセルの種類を考慮せずにハンドオーバの為の端末測定報告を行うと、第１のセルの方に無線端末のハンドオーバが集中する問題が生じる可能性がある。
【００５５】
そこで、本発明では、例えば、システム内の第１のセルのみを使用できる無線端末と第２のセルも使用できる無線端末の数又はそれぞれの割合、さらに第１のセルと第２のセルの数又は割合などを考慮し、端末測定報告における測定報告基準を設定し、無線端末から報告されるセルの種類を考慮した端末測定報告により、無線端末のハンドオーバ先を決定する。
【００５６】
例えば、第２のセルを使用できる無線端末が比較的少ない場合、第２のセルを使用できる無線端末に対して、第２のセルにハンドオーバし易いように、つまり測定報告が発生し易いように、測定報告基準のオフセット値、判定閾値、又は、トリガ期間を設定するようにしても良い。また、第２のセルを使用できる無線端末に対しては、優先的に第２のセルにハンドオーバするようにしても良い。
【００５７】
これにより、無線端末によるハンドオーバを、第１セルと第２のセルへ適度に分散させることができる。従って、特定のセル（を管理する無線局）へのハンドオーバの為のネットワークシグナリング、及び、ハンドオーバ後のトラフィックの集中を回避することができる。
【００５８】
具体的には、図２で示される無線局１の制御部１４は、無線端末１から受信した測定結果の報告に基づいて、無線端末１のハンドオーバ先のセルを決定する機能を有する。
【００５９】
図５に、第２の実施の形態の無線端末２によるハンドオーバ手順のフローチャートを示す。
【００６０】
まず、無線端末２は、無線局１から端末測定報告の指示を受信し（Ｓｔｅｐ  ３０）、端末測定の対象となるセルの種類に応じた測定報告基準を基に自セルと隣接セルの測定結果を報告する（Ｓｔｅｐ  ３１）。そして、無線端末２は、ハンドオーバの指示を受信すると（Ｓｔｅｐ  ３２  Ｙｅｓ）、ハンドオーバ処理を実行する（Ｓｔｅｐ  ３５）。一方、無線端末２は、一旦端末測定報告を行った後（Ｓｔｅｐ  ３１）、ハンドオーバの指示を受信するまで（Ｓｔｅｐ  ３２）、端末測定報告の手順を繰り返す（Ｓｔｅｐ  ３３、３４）。
【００６１】
図６に、無線局１によるハンドオーバ制御のフローチャートを示す。
【００６２】
まず、無線局１は、無線端末に端末測定報告を指示する（Ｓｔｅｐ  ４０）。当該指示には、セル（又は、キャリア）の種類に対応する測定報告基準を含む。
【００６３】
無線端末から測定報告を受信した場合（Ｓｔｅｐ  ４１  Ｙｅｓ）、ハンドオーバ先を決定し、ハンドオーバ先のセルの無線局へハンドオーバ要求を送信する（Ｓｔｅｐ  ４２）。
【００６４】
ここで、無線局がハンドオーバ先を決定する方法は、例えば、測定報告に基づいて、最も良好な隣接セル（ベストセルとも呼ぶ）から順に選択する方法でも良いし、他の方法でも良い。さらに、無線局が隣接セルの種類（又は、隣接セルを構成するキャリアの種類）を知っている場合、所定の隣接セル（又は、隣接セルを構成するキャリアの種類）を優先するようにしても良い。無線局が隣接セルの種類（又は、隣接セルを構成するキャリアの種類）を知る方法は、例えば無線局間で情報共有する方法でも良いし、無線端末から報告される方法でも良い。
【００６５】
ハンドオーバ要求が許可された（例えば、ハンドオーバ要求への肯定応答を受信した）場合（Ｓｔｅｐ  ４３  Ｙｅｓ）、無線端末へハンドオーバ指示を送信する（Ｓｔｅｐ  ４４）。
【００６６】
一方、ハンドオーバ要求が許可されなかった場合（Ｓｔｅｐ  ４３  Ｎｏ）、他のハンドオーバ先の候補があるかを判定する（Ｓｔｅｐ  ４５）。そして、他のハンドオーバ先の候補がある場合（Ｓｔｅｐ  ４５  Ｙｅｓ）、同様の手順を繰り返す。一方、候補が無い場合（Ｓｔｅｐ  ４５  Ｎｏ）、ハンドオーバ制御を終了する。
【００６７】
第２の実施の形態によれば、無線端末（ＵＥ）のハンドオーバ先を適切に分散させることで、ハンドオーバに必要なシグナリング、及び、ハンドオーバ後のトラフィックが特定のセルに集中することを回避することができる。
【００６８】
＜第３の実施の形態＞
第３の実施の形態を説明する。
【００６９】
図７は第３の無線通信システムを想定した場合における第３の実施の形態の構成図である。
【００７０】
図７は、本発明の適用の好ましい態様の一つである３ＧＰＰ  ＬＴＥ（Long Term Evolution）の無線通信システムの構成例であり、無線基地局（enhanced Node B: eNB）、各無線基地局が管理するセル（Cell）、当該セルのいずれかに滞在（キャンプ）する無線端末（User Equipment: UE）、無線基地局を管理するコアネットワーク（Evolved Packet Core: EPC）、などから構成される。尚、ＥＰＣはさらにＵＥの移動管理装置（Mobility Management Entity: MME）、サービングゲートウェイ（Serving Gateway: S-GW）などから構成される。
【００７１】
本発明の実施形態において、無線基地局（eNB）が、異なる種類のセルを制御する機能、つまり異なる種類のセルそれぞれで無線端末（UE）との通信を行う機能を有する。また、少なくとも一部の無線端末（UE）も複数の異なる種類のセルで通信を行う機能を有するものとする。尚、上述のように、これらは無線基地局（eNB）又は無線端末（UE）が、それぞれ異なる種類のコンポーネントキャリア（Component Carrier: CC）を用いて無線端末（UE）又は無線基地局（eNB）と通信を行う機能を有すると言うこともできる。さらに、無線端末（UE）がセルの種類を認識する機能、つまりセルの種類を知る、又は、意識する機能を有するものとする。尚、これは、下りリンクのコンポーネントキャリア（ＤＬ  ＣＣ）及び／又は上りリンクのコンポーネントキャリア（ＵＬ  ＣＣ）の種類を知る、又は、意識する機能とも言うことができる。
【００７２】
尚、ＬＴＥにおけるコンポーネントキャリアとは、無線基地局（eNB）と無線端末（UE）が通信を行う基本となるセルを構成する下りリンク及び上りリンクそれぞれの基本周波数成分を指す。以降、特に断りが無い限り、コンポーネントキャリアを単にキャリアと記載する。
【００７３】
本実施の形態では、ＵＥは、セル（又は、コンポーネントキャリア）の種類に対応する測定報告基準を基に、測定結果の報告を行う。測定報告基準としては、例えば以下のものが考えられる。
【００７４】
・受信品質に関するオフセット値
・受信品質に関する判定閾値
・測定結果の報告のトリガとなるトリガ期間
・上記の組み合わせ
オフセット値は、測定結果の報告（以下、測定報告（measurement report））を行うか否かの判定、又は、測定結果の報告を中止するか否かの判定に用いる各セルの受信品質に関するオフセット値である。同様に、判定閾値は、測定報告を行うか否かの判定、又は、測定報告を中止するか否かの判定に用いる各セルの受信品質に関する判定閾値である。トリガ期間は、イベントトリガの測定報告を行う判定に用いる期間（Time To Trigger: TTT）で、無線端末（UE）は測定結果が所定のイベントを当該トリガ期間満たした場合、測定報告を行う。
【００７５】
尚、ここで言う受信品質としては、各セルで送信される参照信号（Reference Signal: RS）の受信信号電力（Reference Signal Received Power: RSRP）、受信信号品質（Reference Signal Received Quality: RSRQ）、受信信号強度（Received Signal Strength Indicator: RSSI）を想定しているが、これらに限定はされない。
【００７６】
オフセット値や判定閾値は、測定報告に対するイベント毎に設定される。ＬＴＥのイベント、及びオフセット値や判定閾値は、例えば以下のものが挙げられる。
【００７７】
Ａ１：  サービングセルの受信品質が判定閾値（a1-Threshold）よりも良い（Serving becomes better than absolute threshold）
Ａ２：  サービングセルの受信品質が判定閾値（a2-Threshold）よりも悪い（Serving becomes worse than absolute threshold）
Ａ３：  隣接セルの受信品質がプライマリサービングセルの受信品質よりオフセット値（a3-Offset）（以上）良い（Neighbour becomes amount of offset better than PCell）
Ａ４：  隣接セルの受信品質が判定閾値（a4-Threshold）よりも良い（Neighbour becomes better than absolute threshold）
Ａ５：  プライマリサービングセルの受信品質が判定閾値１（a5-Threshold1）よりも悪く、かつ、隣接セルの受信品質が判定閾値２（a5-Threshold2）よりも良い（PCell becomes worse than absolute threshold1 AND Neighbour becomes better than another absolute threshold2）
Ａ６：  隣接セルの受信品質がセカンダリサービングセルよりオフセット値（a6-Offset）（以上）良い（Neighbour becomes amount of offset better than SCell）
Ｂ１：  他のRATの隣接セルの受信品質が判定閾値（b1-Threshold）よりも良い（Neighbour becomes better than absolute threshold）
Ｂ２：  プライマリサービングセルの受信品質が判定閾値１（b2-Threshold1）より悪く、かつ、他のRATの隣接セルの受信品質が判定閾値２（b2-Threshold2）より良い（PCell becomes worse than absolute threshold1 AND Neighbour becomes better than another absolute threshold2）
【００７８】
本発明ではさらに、上述のオフセット値、判定閾値、及び、トリガ期間をコンポーネントキャリアの種類に対応させて設定する。例えば、新規キャリアのセル（New Type Carrier (NTC) Cell）と従来のキャリアのセル（Legacy Cell）が混在し、NTC Cellを使用可能な無線端末（UE）が比較的少ない場合、NTC Cellを使用可能なUEに対しては、NTC Cellにハンドオーバし易いようにオフセット値、判定閾値、又は、トリガ期間を設定する。一方、NTC Cellを使用可能なUEが支配的になった場合、NTC Cellを使用可能なUEに対しては、Legacy CellとNTC Cellの両方に適度に分散するようにオフセット値、判定閾値、又は、トリガ期間を設定する。これにより、無線基地局（eNB）が、無線端末（UE）のハンドオーバ先となるセルを適切に分散させたり、無線端末（UE）がキャリアアグリゲーション（Carrier Aggregation: CA）を行うための追加的なセカンダリセル（Secondary Cell: SCell）に使用するセルを適切に分散させたりすることができる。
【００７９】
尚、セル（又は、コンポーネントキャリア）の種類に対応する測定報告基準は、無線基地局（eNB）から無線端末（UE）にシステム情報（System Information Block: SIB）で報知されても良いし、個別信号（Dedicated Signaling）で通知されても良いし、或いは、予め無線端末（UE）に設定されていても良い。
【００８０】
また、無線端末（UE）が、どの種類のセル（又は、どの種類のコンポーネントキャリア）を使用可能であるかに関するセルサポート情報（又は、キャリアサポート情報）は、無線端末（UE）の無線部の機能情報（例えば、Radio Access CapabilityやRadio Frequency Capability）、又は、他の無線端末（UE）固有の機能情報（例えば、NAS CapabilityやUE Capability）に含まれていても良い。セルサポート情報（又は、キャリアサポート情報）が無線部の機能情報に含まれる場合、当該情報は無線端末（UE）から無線基地局（eNB）に通知される。一方、セルサポート情報（又は、キャリアサポート情報）が他の無線端末（UE）固有の機能情報に含まれる場合、当該情報はコアネットワーク（EPC）の移動管理装置（MME）から無線基地局（eNB）に通知される。しかし、これらに限定はされない。
【００８１】
ここで、セルの種類とは、例えば以下のものが考えられる。
【００８２】
・従来の無線端末（UE）がアクセス可能なセル
・特定の能力（又は機能）を有する無線端末（UE）のみがアクセス可能なセル
・特定の用途においてのみ従来の無線端末（UE）がアクセス可能なセル
ここで、従来の無線端末（UE）とは、例えばセル（又は、キャリア）の種類に対応する測定報告基準を基にした端末測定報告を行う機能を有していない無線端末である。一方、特定の能力（又は機能）とは、例えばセル（又は、キャリア）の種類に対応する測定報告基準を基にした端末測定報告を行う能力（又は機能）である。特定の用途とは、例えば複数のＬＴＥのセル（つまり、コンポーネントキャリア（CC））を同時に使用して通信を行うキャリアアグリゲーション（Carrier Aggregation: CA）のセカンダリセル（Secondary Cell: SCell）（つまり、セカンダリコンポーネントキャリア（Secondary CC: SCC））として使用する、などが考えられる。
【００８３】
尚、上述のように、「セルの種類に対応するセル選択基準」を「コンポーネントキャリアの種類に対応するセル選択基準」と言う（つまり、置き換えて考える）こともできる。ここで、コンポーネントキャリアの種類は、コンポーネントキャリアで送信される信号の送信形態に関する所定の特徴を基に分類される。所定の特徴とは、例えば以下のものが考えられる。
【００８４】
・物理チャネル（Physical channel）の構成
・無線基地局（eNB）が送信する参照信号（Reference Signal: RS）の送信形態
・無線局が送信する制御信号（Control Signal）の送信形態
・無線局が送信するシステム情報（System Information: SI）の送信形態
・無線基地局（eNB）が送信するシステム情報（System Information: SI）の種類
・無線伝送方式（Radio Access Scheme）
・複信方式（Duplex mode）
【００８５】
物理チャネルの構成としては、例えば物理チャネルのマッピング（Physical Channel Mapping）、つまり各物理チャネルの送信に用いられる無線リソースの割り当て方法などが考えられる。既知信号である参照信号（RS）の送信形態としては、例えばセル固有RS（CRS）の送信周期、送信帯域、送信密度、信号電力密度、信号配置、信号系列、送信アンテナ数、又は、送信されるRSの種類、などが考えられる。システム情報の種類としては、セル（又は、コンポーネントキャリア）の種類によらず送信される種類のシステム情報と、特定の種類のセル（又は、コンポーネントキャリア）でのみ送信される種類のシステム情報、などが考えられる。
【００８６】
以上に示すように、無線端末（UE）が、セル（又は、コンポーネントキャリア）の種類を認識し、当該セル（又は、コンポーネントキャリア）の種類に対応する測定報告基準を基に、測定結果の報告を行うことができる。
【００８７】
次に、本実施の形態の測定結果の報告の手順を説明する。図８は本実施の形態の測定結果の報告の手順のフローチャートである。
【００８８】
尚、以下の説明では、無線基地局（eNB）が無線端末（UE）に、Event A3を用いて端末測定報告を行うように指示し、このとき、隣接セルの種類に対応させてオフセット値（a3-Offset）を設定する。例えば、従来のキャリア（Legacy carrier）を構成要素とするセル（Legacy Cell）に対するオフセット値をa3-Offset、新規キャリア（New Type Carrier: NTC）を構成要素とする（又は、構成要素に含む）セル（NTC Cell）に対するオフセット値をa3-Offset2と設定する場合を説明する。
【００８９】
ＵＥは、所定のタイミングで（Ｓｔｅｐ  １００  Ｙｅｓ）、自セル（サービングセル）の受信品質を測定する（Ｓｔｅｐ  １０１）。同様に、ＵＥは、別の所定のタイミングで（Ｓｔｅｐ  １０２  Ｙｅｓ）、隣接セルの受信品質を測定する（Ｓｔｅｐ  １０３）。
【００９０】
そして、隣接セル（又は、隣接セルの構成要素となるキャリア）の種類に対応するa3-Offsetを適用し（Ｓｔｅｐ  １０４）、各隣接セルがイベントＡ３の条件を満たすか否かを判定する（Ｓｔｅｐ  １０５）。
【００９１】
イベントＡ３の条件を満たさない場合（Ｓｔｅｐ  １０５  Ｎｏ）、トリガ期間（TTT）を計測するタイマが既に動いているかを判定する（Ｓｔｅｐ  １０６）。タイマが動いている場合（Ｓｔｅｐ  １０６  Ｙｅｓ）、タイマをリセットし（Ｓｔｅｐ  １０７）、Ｓｔｅｐ  １００に戻る。一方、タイマが動いていない場合（Ｓｔｅｐ  １０６  Ｎｏ）、Ｓｔｅｐ  １００に戻る。
【００９２】
また、イベントＡ３の条件を満たす場合（Ｓｔｅｐ  １０５  Ｙｅｓ）、トリガ期間（TTT）を計測するタイマが既に動いているかを判定する（Ｓｔｅｐ  １０８）。タイマが動いていない場合（Ｓｔｅｐ  １０８  Ｎｏ）、タイマをスタートさせ（Ｓｔｅｐ  １０９）、Ｓｔｅｐ  １１０に進む。トリガ期間（TTT）を計測するタイマが既に動いている場合には（Ｓｔｅｐ  １０８  Ｙｅｓ）、Ｓｔｅｐ  １１０に進む。
【００９３】
次に、トリガ期間（TTT）に達したかを判定する（Ｓｔｅｐ  １１０）。トリガ期間（TTT）に達している場合（Ｓｔｅｐ  １１０  Ｙｅｓ）、サービングセルとイベントＡ３の条件を満たす隣接セルの測定結果をｅＮＢに報告する（Ｓｔｅｐ  １１１）。一方、トリガ期間（TTT）に達していない場合（Ｓｔｅｐ  １１０  Ｎｏ）、同様の処理を繰り返す。
【００９４】
尚、ＵＥは測定結果の報告を、イベントＡ３の条件を満たした場合に一度だけ行っても良いし（Event-triggered reporting）、条件を満たしてから所定回数だけ周期的に行っても良い（Event-triggered periodic reporting）。さらに、ＵＥが、測定報告を行うときにキャリアの種類（又は、セルの種類）もｅＮＢに報告するようにしても良い。
【００９５】
ここで、イベントＡ３について説明する。イベントＡ３の条件を詳細に示すと式（１）のようになる。
【００９６】
Mn + Ofn + Ocn - Hys > Mp + Ofp + Ocp + Off  ・・・（１）
各パラメータの定義は以下の通りである。尚、端末測定報告を中止する場合の条件は、（１）の不等号とHysの符号が反対になる。
【００９７】
・Mn：隣接セルの受信品質の測定結果
・Ofn：隣接セルに対する周波数固有のオフセット値（つまり、LTEのセルに対する測定指示（measObjectEUTRA）で周波数毎に指定されるオフセット値（offsetFreq））
・Ocn：隣接セルに対するセル固有オフセット値（つまり、LTEのセルに対する測定指示（measObjectEUTRA）で隣接セル毎に指定されるオフセット値（cellIndividualOffset））
・Mp：プライマリサービングセルの受信品質の測定結果
・Ofp：プライマリ周波数（つまり、プライマリサービングセルの周波数）に対する周波数固有オフセット（つまり、LTEのセルに対する測定指示（measObjectEUTRA）でプライマリ周波数に対して指定されるオフセット値（offsetFreq））
・Ocp：プライマリサービングセルに対するセル固有オフセット値（つまり、LTEのセルに対する測定指示（measObjectEUTRA）でプライマリ周波数に対して指定されるオフセット値（cellIndividualOffset））
・Hys：イベントに対するヒステリシスパラメータ（つまり、LTEのセルに対する測定指示（measObjectEUTRA）で当該イベントに対して指定されるヒステリシス（hysteresis））
・Off：イベントに対するオフセット値（つまり、LTEのセルに対する測定指示（measObjectEUTRA）で当該イベントに対して指定されるオフセット値（a3-Offset））
【００９８】
尚、Mn, MpはRSRPの場合は[dBm]で、RSRQの場合は[dB]で表される。また、Ofn, Ocn, Ofp, Ocp, Hys, Offは[dB]で表される。
【００９９】
また、上記は一例であり、本発明では、これらのパラメータもセル（又は、キャリア）の種類に対応させて設定しても良い。
【０１００】
更に、本発明のセル（又は、キャリア）の種類に対応する測定報告基準（例えば、上述のパラメータ）の通知方法は、例えば、図９や、図１０に示す方法が考えられる。
【０１０１】
ひとつは、無線基地局（eNB）が、LTEセルに対する無線端末（UE）の測定報告の方法を示す情報（ReportConfigEUTRA）に、セルの種類（または、キャリアの種類）に対応する個別のパラメータ設定を行う方法である。
【０１０２】
図９の例では、イベントA3（Event A3）を用い、a3-Offsetをキャリアの種類に対応させて設定する例である。例えば、従来のセル（または、キャリア）に対する測定報告には従来通り a3-Offset を適用し、新規セル（または、キャリア）に対する測定報告には a3-Offset-1rx を適用する。例えば、a3-Offset-1rx が前述のa3-Offset2に相当する。
【０１０３】
また、無線基地局（eNB）が、無線端末（UE）の測定および測定報告の方法を示す測定設定情報（MeasConfig）の中の報告設定情報（reportConfigToAddModList）に、LTEセルに対する測定報告の方法を示す情報（ReportConfigEUTRA）をセルの種類（または、キャリアの種類）に対応させて設定する方法であっても良い。
【０１０４】
図１０は、従来のセル（または、キャリア）に対する測定報告の方法を示す情報（ReportConfigEUTRA）と、新規セル（または、キャリア）に対する測定報告の方法を示す情報（ReportConfigEUTRA-r1x）を送信する場合の例である。
【０１０５】
尚、無線端末（UE）による、セルの種類（または、キャリアの種類）の認識方法としては、以下の方法が考えられる。例えば、セルの種類（または、下りリンクキャリアの種類や上りリンクキャリアの種類）が無線基地局（eNB）から送信されるシステム情報（System Information Block: SIB）で示され、無線端末（UE）が、そのシステム情報を復調することによりセルの種類（または、キャリアの種類）を認識する方法が考えられる。別の方法として、例えば、セルの種類（または、セルの構成要素の下りリンクのキャリアの種類）は、従来（Legacy）のLTEキャリア（例えば、第１のキャリア）で送信されている参照信号（RS、例えばCRS）や同期信号（SS）が送信されているか否か、従来のLTEキャリアでのRSやSSの送信形態と同じか否か、所定の種類のセル（または、下りリンクのキャリア（例えば、第２のキャリア））に対して規定される送信形態で参照信号（RS）や同期信号（SS）が送信されているか否か、或いは、所定の種類のセル（または、下りリンクのキャリア）に対して規定される参照信号（RS）や同期信号（SS）が送信されているか否か、などにより認識する（検出するとも呼べる）。
【０１０６】
＜第４の実施の形態＞
第４の実施の形態を説明する。
【０１０７】
第４の実施の形態は、３ＧＰＰ  ＬＴＥに本発明を適用した例であり、無線基地局（eNB）が無線端末（UE）に、隣接セル（又は、隣接セルの構成要素となるキャリア）の種類毎に対応するイベントを設定し、端末測定報告を行うように指示する例である。
【０１０８】
例えば、従来のキャリア（Legacy carrier）を構成要素とするセルと、新規キャリア（New type carrier）を構成要素とする（又は、構成要素に含む）セル（New type cell）が混在するＬＴＥシステムを設定した場合、下記のようなイベントを規定しても良い。
【０１０９】
例えば、図１１に示すような状態のとき、無線基地局（eNB）が無線端末（UE）に、イベントＡｘを用いて端末測定報告を行うように指示する。イベントＡｘは、以下の通りである。
【０１１０】
・Ａｘ： 新規種類の隣接セルの受信品質がプライマリサービングセルの受信品質よりオフセット値（ax-Offset）（以上）良い（Neighbour new type cell becomes amount of offset better than PCell）
【０１１１】
また、図１３に示すような状態のとき、無線基地局（eNB）が無線端末（UE）に、イベントＡｙ、Ａｚを用いて端末測定報告を行うように指示する。イベントＡｙ、Ａｚは、以下の通りである。
【０１１２】
・Ａｙ： 隣接セルの受信品質が新規種類のプライマリサービングセルの受信品質よりオフセット値（ay-Offset）（以上）良い（Neighbour becomes amount of offset better than new type PCell）
・Ａｚ： 新規種類の隣接セルの受信品質が新規種類のプライマリサービングセルの受信品質よりオフセット値（az-Offset）（以上）良い（Neighbour new type cell becomes amount of offset better than new type PCell）
【０１１３】
尚、セル（又は、キャリア）の種類が２つ以上混在する場合にも同様に新規イベントを設定することができることは言うまでもない。例えば、新規種類のセル（New type Cell）の代わりに、種類ｘｘのセル、種類ｙｙのセル、種類ｚｚのセル、というようにセル（又は、セルの構成要素となるキャリア）の種類に所定のインデックスを付け、各インデックスのセルに対してイベントを設定するなどの方法が考えられる。
【０１１４】
＜第５の実施の形態＞
第５の実施の形態を説明する。
【０１１５】
第５の実施の形態は、３ＧＰＰ  ＬＴＥに本発明を適用した例であり、無線基地局（ｅＮＢ）による無線端末（ＵＥ）のハンドオーバ先の決定方法について、図１３を用いて説明する。尚、無線端末（ＵＥ）による端末測定報告は、例えば第４の実施の形態を用いて実行されるものとする。
【０１１６】
図１３において、Ｃｅｌｌ１とＣｅｌｌ３は従来のＵＥがキャンプ可能な第１のキャリアを構成要素とする第１のセルで、Ｃｅｌｌ２とＣｅｌｌ４は第２のキャリアを構成要素とする一部のＵＥがキャンプ可能な第２のセルである。ここで、ＵＥが移動する場合、eNBにおける当該UEのハンドオーバ先の決定は、例えば以下のように実行されるようにしても良い。ここでは、ハンドオーバ判定に用いる受信品質の指標としてRSRPを用いるが、RSRQでも同様に実行されうることは言うまでもない。
【０１１７】
・Ｃａｓｅ  １）  Ｃｅｌｌ３が所定のイベントを満たし、Ｃｅｌｌ４が満たさない。この場合、ＵＥのハンドオーバ先はＣｅｌｌ３に決定する。
【０１１８】
・Ｃａｓｅ  ２）  Ｃｅｌｌ３が所定のイベントを満たさず、Ｃｅｌｌ４が満たす。この場合、ＵＥのハンドオーバ先はＣｅｌｌ４に決定する。
【０１１９】
・Ｃａｓｅ  ３）  Ｃｅｌｌ３とＣｅｌｌ４が共に所定のイベントを満たし、RSRP3> RSRP4 を満たす。この場合、ＵＥのハンドオーバ先はＣｅｌｌ３に決定する。
【０１２０】
・Ｃａｓｅ  ４）  Ｃｅｌｌ３とＣｅｌｌ４が共に所定のイベントを満たし、RSRP3< RSRP4を満たす。この場合、ＵＥのハンドオーバ先はＣｅｌｌ４に決定する。
【０１２１】
・Ｃａｓｅ  ５）  Ｃｅｌｌ３とＣｅｌｌ４が共に所定のイベントを満たし、Ｃｅｌｌ３がＣｅｌｌ４より優先度が高い。この場合、ＵＥのハンドオーバ先はＣｅｌｌ３に決定する。
【０１２２】
・Ｃａｓｅ  ６）  Ｃｅｌｌ３とＣｅｌｌ４が共に所定のイベントを満たし、Ｃｅｌｌ３がＣｅｌｌ４より優先度が低い。この場合、ＵＥのハンドオーバ先はＣｅｌｌ４に決定する。
【０１２３】
本実施の形態によれば、無線端末（ＵＥ）のハンドオーバ先を適切に分散させることで、ハンドオーバに必要なシグナリング、及び、ハンドオーバ後のトラフィックが特定のセルに集中することを回避することができる。
【０１２４】
＜第６の実施の形態＞
第６の実施の形態を説明する。
【０１２５】
第６の実施の形態は、３ＧＰＰ  ＬＴＥのキャリアアグリゲーション（CA）に本発明を適用した例であり、無線基地局（ｅＮＢ）による無線端末（ＵＥ）のセカンダリセル（SCell）の決定方法について、図１４を用いて説明する。尚、無線端末（ＵＥ）による端末測定報告は、例えば第４の実施の形態を用いて実行されるものとする。
【０１２６】
図１４において、ＵＥがＣｅｌｌ１にキャンプし、ｅＮＢ１と通信を行っているものとする。ｅＮＢ１のＣｅｌｌ１とＣｅｌｌ７は、従来のＵＥがキャンプ可能な第１のキャリアを構成要素とする第１のセルで、Ｃｅｌｌ２は一部のＵＥがセカンダリセル（SCell）として使用可能な第２のキャリアを構成要素とする第２のセルである。本実施形態では、ｅＮＢ１がＵＥの通信するトラフィック量が多く、当該ＵＥにキャリアアグリゲーション（CA）を行わせる必要がある（又は、CAが有効である）と判断した場合のセカンダリセル（SCell）の決定は、例えば以下のように実行されるようにしても良い。ここでは、セカンダリセル（SCell）を１つだけ追加する場合を想定する。また、セカンダリセル（SCell）の決定に用いる受信品質の指標としてRSRQを用いるが、RSRPでも同様に実行されうることは言うまでもない。
【０１２７】
・Ｃａｓｅ  １）  Ｃｅｌｌ２が所定のイベントを満たし、Ｃｅｌｌ７が満たさない。この場合、Ｃｅｌｌ２をセカンダリセル（SCell）に決定する。
【０１２８】
・Ｃａｓｅ  ２）  Ｃｅｌｌ２が所定のイベントを満たさず、Ｃｅｌｌ７が満たす。この場合、Ｃｅｌｌ７をセカンダリセル（SCell）に決定する。
【０１２９】
・Ｃａｓｅ  ３）  Ｃｅｌｌ２とＣｅｌｌ７が共に所定のイベントを満たし、RSRQ2> RSRQ7 を満たす。この場合、Ｃｅｌｌ２をセカンダリセル（SCell）に決定する。
【０１３０】
・Ｃａｓｅ  ４）  Ｃｅｌｌ２とＣｅｌｌ７が共に所定のイベントを満たし、RSRQ2< RSRQ7を満たす。この場合、Ｃｅｌｌ７をセカンダリセル（SCell）に決定する。
【０１３１】
・Ｃａｓｅ  ５）  Ｃｅｌｌ２とＣｅｌｌ７が共に所定のイベントを満たし、Ｃｅｌｌ２がＣｅｌｌ７より優先度が高い。この場合、Ｃｅｌｌ７をセカンダリセル（SCell）に決定する。
【０１３２】
・Ｃａｓｅ  ６）  Ｃｅｌｌ２とＣｅｌｌ７が共に所定のイベントを満たし、Ｃｅｌｌ２がＣｅｌｌ７より優先度が低い。この場合、Ｃｅｌｌ７をセカンダリセル（SCell）に決定する。
【０１３３】
本実施の形態によれば、無線端末（ＵＥ）のキャリアアグリゲーション（CA）時のセカンダリセル（SCell）を適切に分散させることで、トラフィックが特定のセルに集中することを回避することができる。
【０１３４】
尚、従来のキャリア（Legacy carrier）を構成要素とするセルと、新規キャリア（New type carrier）を構成要素とする（又は、構成要素に含む）セル（New type cell）が混在するＬＴＥシステムを設定した場合、下記のようなイベントを規定しても良い。
【０１３５】
・Ａｉ：  新規種類の隣接セルの受信品質がセカンダリサービングセルの受信品質よりオフセット値（ai-Offset）（以上）良い（Neighbour new type cell becomes amount of offset better than SCell）
・Ａｊ：  隣接セルの受信品質が新規種類のセカンダリサービングセルの受信品質よりオフセット値（aｊ-Offset）（以上）良い（Neighbour cell becomes amount of offset better than new type SCell）
・Ａｋ：  新規種類の隣接セルの受信品質が新規種類のセカンダリサービングセルの受信品質よりオフセット値（ak-Offset）（以上）良い（Neighbour new type cell becomes amount of offset better than new type SCell）
【０１３６】
尚、セル（又は、キャリア）の種類が２つ以上混在する場合にも同様に新規イベントを設定することができることは言うまでもない。例えば、新規種類のセル（New type Cell）の代わりに、種類ｘｘのセル、種類ｙｙのセル、種類ｚｚのセル、というようにセル（又は、セルの構成要素となるキャリア）の種類に所定のインデックスを付け、各インデックスのセルに対してイベントを設定するなどの方法が考えられる。
【０１３７】
尚、これまで述べたＬＴＥの実施形態では、マクロ無線基地局（Macro eNB）のセルのみが存在するＨｏｍｏｇｅｎｅｏｕｓ  Ｎｅｔｗｏｒｋを想定していたが、本発明の適用範囲はこれに限定はされない。例えば、マクロ無線基地局（Macro eNB）とピコ無線基地局（Pico eNB）やフェムト無線基地局（Femto eNB）が混在するＨｅｔｅｒｏｇｅｎｅｏｕｓ  Ｎｅｔｗｏｒｋ（ＨｅｔＮｅｔ）においても適用が可能であることは言うまでも無い。
【０１３８】
さらに、これまで述べた実施形態では、無線通信システムとして３ＧＰＰ  ＬＴＥを想定して説明したが、本発明の対象はそれらに限定されることはなく、ＧＳＭ（Ｇｌｏｂａｌ  Ｓｙｓｔｅｍ  ｆｏｒ  Ｍｏｂｉｌｅ  ｃｏｍｍｕｎｉｃａｔｉｏｎｓ）、ＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）、ＣＤＭＡ２０００（Ｃｏｄｅ  Ｄｉｖｉｓｉｏｎ  Ｍｕｌｔｉｐｌｅ  Ａｃｃｅｓｓ  ２０００）及びその発展版（１ｘＲＴＴ、ＨＲＰＤ）、ＷｉＭＡＸ（Ｗｏｒｌｄｗｉｄｅ  ｉｎｔｅｒｏｐｅｒａｂｉｌｉｔｙ  ｆｏｒ  Ｍｉｃｒｏｗａｖｅ  Ａｃｃｅｓｓ）などにも適用可能である。
【０１３９】
さらに、本発明は必ずしも上記実施の形態に限定されるものではなく、その技術的思想の範囲内において様々に変形し実施してもよい。また、各実施の形態を適宜組み合わせて実施してもよい。
【０１４０】
また、上述した説明からも明らかなように、各部をハードウェアで構成することも可能であるが、コンピュータプログラムにより実現することも可能である。この場合、プログラムメモリに格納されているプログラムで動作するプロセッサによって、上述した実施の形態と同様の機能、動作を実現させる。
【０１４１】
尚、上記の実施形態の一部又は全部は、以下の付記のようにも記載されうるが、以下には限られない。
【０１４２】
（付記１）  無線局と無線端末とが通信する無線通信システムにおいて、
少なくとも１つの前記無線局が、１つの無線アクセス技術で複数種類のセルを制御する制御手段と、
前記無線端末が、前記セルの種類を認識する認識手段と、
前記無線端末が、前記セルの種類に対応する測定報告基準を基に測定結果の報告を行う測定報告手段と、
を有する無線通信システム。
【０１４３】
（付記２）  前記セルの種類は、当該セルの構成要素となるキャリアの種類によって特定される
付記１に記載の無線通信システム。
【０１４４】
（付記３）  前記キャリアの種類は、送信される信号の送信形態によって分類される
付記２に記載の無線通信システム。
【０１４５】
（付記４）  前記キャリアの種類が、物理チャネルの構成によって分類される
付記２又は付記３に記載の無線通信システム。
【０１４６】
（付記５）  前記キャリアの種類が、前記キャリアにおける前記無線局から送信される既知信号、システム情報、制御信号、の少なくともいずれかの送信形態によって分類される
付記２から付記４のいずれかに記載の無線通信システム。
【０１４７】
（付記６）  前記キャリアの種類が、システム情報の内容によって分類される
付記２から付記５のいずれかに記載の無線通信システム。
【０１４８】
（付記７）  前記キャリアの種類が、無線伝送方式によって分類される
付記２から付記６のいずれかに記載の無線通信システム。
【０１４９】
（付記８）  前記キャリアの種類が、複信方式によって分類される、
付記２から付記７のいずれかに記載の無線通信システム。
【０１５０】
（付記９）  前記測定報告基準が、受信品質に関するオフセット値、受信品質に関する判定閾値、測定結果の報告のトリガとなるトリガ期間、の少なくとも１つを含む
付記１から付記８のいずれかに記載の無線通信システム。
【０１５１】
（付記１０）  前記測定報告基準が、セルの種類毎、又は、所定のセルの種類のグループ毎に、異なるイベントを用いて設定される
付記１から付記９のいずれかに記載の無線通信システム。
【０１５２】
（付記１１）  前記無線局が、前記測定報告基準を、前記無線端末に送信する
付記１から付記１０のいずれかに記載の無線通信システム。
【０１５３】
（付記１２）  前記無線局が、前記無線端末から報告される測定結果を基に、前記無線端末のハンドオーバ先のセルを決定する
付記１から付記１１のいずれかに記載の無線通信システム。
【０１５４】
（付記１３）  前記無線局が、所定の種類のセルを、優先的に前記無線端末のハンドオーバ先に決定する
付記１２に記載の無線通信システム。
【０１５５】
（付記１４）  前記無線局が、前記無線端末から報告される測定結果を基に、前記無線端末の追加のサービングセルを決定する
付記１から付記１１のいずれかに記載の無線通信システム。
【０１５６】
（付記１５）  前記無線局が、所定の種類のセルを、優先的に前記無線端末の追加のサービングセルに決定する
付記１４に記載の無線通信システム。
【０１５７】
（付記１６）  無線局が１つの無線アクセス技術で複数種類のセルを制御する無線通信システムにおける無線端末であって、
前記セルの種類を認識する認識手段と、
前記セルの種類に対応する測定報告基準を基に測定結果の報告を行う測定報告手段と、
を有する無線端末。
【０１５８】
（付記１７）  前記セルの種類は、当該セルの構成要素となるキャリアの種類によって特定される
付記１６に記載の無線端末。
【０１５９】
（付記１８）  前記キャリアの種類は、送信される信号の送信形態によって分類される
付記１７に記載の無線端末。
【０１６０】
（付記１９）  前記キャリアの種類が、物理チャネルの構成によって分類される
付記１７又は付記１８に記載の無線端末。
【０１６１】
（付記２０）  前記キャリアの種類が、前記キャリアにおける前記無線局から送信される既知信号、システム情報、制御信号、の少なくともいずれかの送信形態によって分類される
付記１７から付記１９のいずれかに記載の無線端末。
【０１６２】
（付記２１）  前記キャリアの種類が、システム情報の内容によって分類される
付記１７から付記２０のいずれかに記載の無線端末。
【０１６３】
（付記２２）  前記キャリアの種類が、無線伝送方式によって分類される
付記１７から付記２１のいずれかに記載の無線端末。
【０１６４】
（付記２３）  前記キャリアの種類が、複信方式によって分類される、
付記１７から付記２２のいずれかに記載の無線端末。
【０１６５】
（付記２４）  前記測定報告基準が、受信品質に関するオフセット値、受信品質に関する判定閾値、測定結果の報告のトリガとなるトリガ期間、の少なくとも１つを含む
付記１６から付記２３のいずれかに記載の無線端末。
【０１６６】
（付記２５）  前記測定報告基準が、セルの種類毎、又は、所定のセルの種類のグループ毎に、異なるイベントとして設定される
付記１６から付記２４のいずれかに記載の無線端末。
【０１６７】
（付記２６）  前記無線局から、前記測定報告基準を受信する
付記１６から付記２５のいずれかに記載の無線端末。
【０１６８】
（付記２７）  無線局であって、
１つの無線アクセス技術で複数種類のセルを制御する制御手段と、
前記セルの種類に対応する測定報告基準に基づく測定結果の報告に関する指示を、無線端末に送信する手段と
を有する無線局。
【０１６９】
（付記２８）  前記測定報告基準を、前記無線端末に送信する
付記２７に記載の無線局。
【０１７０】
（付記２９）  前記セルの種類は、当該セルの構成要素となるキャリアの種類によって特定される
付記２７または付記２８に記載の無線局。
【０１７１】
（付記３０）  前記キャリアの種類は、送信される信号の送信形態によって分類される
付記２９に記載の無線局。
【０１７２】
（付記３１）  前記無線端末から報告される測定結果を基に、前記無線端末のハンドオーバ先のセルを決定する付記２７から付記３０のいずれかに記載の無線局。
【０１７３】
（付記３２）  所定の種類のセルを、優先的に前記無線端末のハンドオーバ先に決定する
付記３１に記載の無線局。
【０１７４】
（付記３３）  前記無線端末から報告される測定結果を基に、前記無線端末の追加のサービングセルを決定する
付記２７から付記３０のいずれかに記載の無線局。
【０１７５】
（付記３４）  所定の種類のセルを、優先的に前記無線端末の追加のサービングセルに決定する
付記３３に記載の無線局。
【０１７６】
（付記３５）  通信制御方法であって、
少なくとも１つの無線局が、１つの無線アクセス技術で複数種類のセルを制御し、
無線端末が、前記セルの種類を認識し、
前記無線端末が、前記セルの種類に対応する測定報告基準を基に測定結果の報告を行う
通信制御方法。
【０１７７】
（付記３６）  前記セルの種類は、当該セルの構成要素となるキャリアの種類によって特定される
付記３５に記載の通信制御方法。
【０１７８】
（付記３７）  前記キャリアの種類は、送信される信号の送信形態によって分類される
付記３６に記載の通信制御方法。
【０１７９】
（付記３８）  前記キャリアの種類が、物理チャネルの構成によって分類される
付記３６又は付記３７に記載の通信制御方法。
【０１８０】
（付記３９）  前記キャリアの種類が、前記キャリアにおける前記無線局から送信される既知信号、システム情報、制御信号、の少なくともいずれかの送信形態によって分類される
付記３６から付記３８のいずれかに記載の通信制御方法。
【０１８１】
（付記４０）  前記キャリアの種類が、システム情報の内容によって分類される
付記３６から付記３９のいずれかに記載の通信制御方法。
【０１８２】
（付記４１）  前記キャリアの種類が、無線伝送方式によって分類される
付記３６から付記４０のいずれかに記載の通信制御方法。
【０１８３】
（付記４２）  前記キャリアの種類が、複信方式によって分類される、
付記３６から付記４１のいずれかに記載の通信制御方法。
【０１８４】
（付記４３）  前記測定報告基準が、受信品質に関するオフセット値、受信品質に関する判定閾値、測定結果の報告のトリガとなるトリガ期間、の少なくとも１つを含む
付記３５から付記４２のいずれかに記載の通信制御方法。
【０１８５】
（付記４４）  前記測定報告基準が、セルの種類毎、又は、所定のセルの種類のグループ毎に、異なるイベントとして設定される
付記３５から付記４３のいずれかに記載の通信制御方法。
【０１８６】
（付記４５）  前記無線局が、前記測定報告基準を、前記無線端末に送信する
付記３５から付記４４のいずれかに記載の通信制御方法。
【０１８７】
（付記４６）  前記無線局が、前記無線端末から報告される測定結果を基に、前記無線端末のハンドオーバ先のセルを決定する
付記３５から付記４５のいずれかに記載の通信制御方法。
【０１８８】
（付記４７）  前記無線局が、所定の種類のセルを、優先的に前記無線端末のハンドオーバ先に決定する
付記４６に記載の通信制御方法。
【０１８９】
（付記４８）  前記無線局が、前記無線端末から報告される測定結果を基に、前記無線端末の追加のサービングセルを決定する
付記３５から付記４５のいずれかに記載の通信制御方法。
【０１９０】
（付記４９）  前記無線局が、所定の種類のセルを、優先的に前記無線端末の追加のサービングセルに決定する
付記４８に記載の通信制御方法。
【０１９１】
本出願は、２０１２年７月５日に出願された日本出願特願２０１２−１５１９１１号を基礎とする優先権を主張し、その開示の全てをここに取り込む。
【符号の説明】
【０１９２】
１      無線局
２      無線端末
１０    無線信号受信器
１１    復調部
１２    送信部
１３    受信部
１４    制御部
１５    信号生成部
１６    無線送信器
２０    無線信号受信器
２１    復調部
２２    認識部
２３    制御部
２４    測定部
２５    信号生成部
２６    無線信号送信部
【図１】
2020061765.tif 000003
【図２】
2020061765.tif 000004
【図３】
2020061765.tif 000005
【図４】
2020061765.tif 000006
【図５】
2020061765.tif 000007
【図６】
2020061765.tif 000008
【図７】
2020061765.tif 000009
【図８】
2020061765.tif 000010
【図９】
2020061765.tif 000011
【図１０】
2020061765.tif 000012
【図１１】
2020061765.tif 000013
【図１２】
2020061765.tif 000014
【図１３】
2020061765.tif 000015
【図１４】
2020061765.tif 000016
【図１５】
2020061765.tif 000017